【手続補正書】
【提出日】平成18年3月23日(2006.3.23)
【手続補正１】
【補正対象書類名】明細書
【補正対象項目名】発明の名称
【補正方法】変更
【補正の内容】
【発明の名称】ゲームサイト運営装置及びゲームサイト運営プログラム
【手続補正２】
【補正対象書類名】明細書
【補正対象項目名】特許請求の範囲
【補正方法】変更
【補正の内容】
【特許請求の範囲】
【請求項１】
賞品を獲得可能なゲームを、通信ネットワークを通じてユーザーに提供するサーバーとしての機能を備えたゲームサイト運営装置において、
獲得可能な賞品一覧をユーザーの端末に表示し、該賞品一覧の中からユーザーが希望する賞品の選択を受け付ける賞品選択受付手段と、
広告情報の中から、前記選択された商品に関連する広告を選択して前記端末に表示させる関連広告配信手段と、
前記広告の表示が終了すると前記端末において前記ゲームを実行可能にするゲーム提供手段と、
前記ゲームの実行内容に応じて所定量のポイントを付与し、該ポイントの量を前記サーバーに記憶されたユーザー情報のポイントに加算するポイント演算手段と、
他のユーザーに対して贈与するポイントの量と贈与先のユーザー名とを、ユーザーの端末を介して前記サーバーに入力させるポイント贈与入力手段と、
前記贈与するポイントの量を、贈与元のユーザーのポイントから減算する一方、贈与先のユーザーのポイントに加算するポイント贈与実行手段と、
ポイントが贈与されたことを、贈与先のユーザーに対して通知するポイント贈与通知手段とを有することを特徴とするゲームサイト運営装置。
【請求項２】
ユーザーがポイントを贈与する他のユーザーを予め登録可能な贈与先登録手段を有することを特徴とする請求項１記載のゲームサイト運営装置。
【請求項３】
前記ポイント演算手段は、ユーザーがサーバーに新規のユーザーの登録を紹介した場合に、該紹介したユーザーに対して所定量のポイントを付与することを特徴とする請求項１または２記載のゲームサイト運営装置。
【請求項４】
前記ユーザー情報ごとに累積されるポイントの総量に応じて、個々のユーザーに関するランクを定めるランク設定手段を有することを特徴とする請求項１，２または３記載のゲームサイト運営装置。
【請求項５】
前記ユーザーのランクに応じて、各ランク毎に異なる特典を付与する特典付与変更手段を有することを特徴とする請求項４記載のゲームサイト運営装置。
【請求項６】
前記特典内容変更手段は、前記ユーザーのランクに応じて、前記ゲーム提供手段が前記端末で実行可能とするゲームの当選確率を異ならせることを特徴とする請求項５記載のゲームサイト運営装置。
【請求項７】
前記特典内容変更手段は、前記ユーザーのランクに応じて、前記賞品選択受付手段により賞品一覧の中から選択可能な賞品の種類を異ならせることを特徴とする請求項５記載のゲームサイト運営装置。
【請求項８】
前記特典内容変更手段は、前記ユーザーのランクに応じて、前記ゲーム提供手段が前記端末で実行可能とするゲームの種類を異ならせることを特徴とする請求項５記載のゲームサイト運営装置。
【請求項９】
前記ゲーム提供手段は、前記端末において前記ゲームを実行可能にする度に、該端末で継続して実行可能なゲームの回数に上限値を設定することを特徴とする請求項１，２，３，４，５，６，７または８記載のゲームサイト運営装置。
【請求項１０】
前記端末で実行されたゲームの結果が当選の場合に、該当選を証明する当選識別子を当選した前記ユーザーに対して通知する当選証明手段を有することを特徴とする請求項１，２，３，４，５，６，７，８または９記載のゲームサイト運営装置。
【請求項１１】
前記ゲームで当選した際に、当選者を識別するための当選者識別情報を含む当選報告を前記サーバーに送信可能とする当選報告手段を有することを特徴とする請求項１，２，３，４，５，６，７，８，９または１０記載のゲームサイト運営装置。
【請求項１２】
前記ユーザーから送信された前記当選報告を受信する当選報告受信手段と、前記当選報告受信手段が受信した当選報告の送信元ユーザーへ、該当選を証明する当選識別子を含む当選確認通知を送信する当選確認証明手段とを有することを特徴とする請求項１１記載のゲームサイト運営装置。
【請求項１３】
前記当選識別子および当選者を識別するための当選者識別情報を前記サーバー側に記憶することを特徴とする請求項１０または１２記載のゲームサイト運営装置。
【請求項１４】
前記賞品を提供可能な店舗のコンピュータは、前記サーバーに接続して、前記サーバー側に記憶された前記当選識別子および当選者識別情報を参照し、賞品の提供に係る賞品提供済み情報を前記サーバーに送信することを特徴とする請求項１３記載のゲームサイト運営装置。
【請求項１５】
請求項１，２，３，４，５，６，７，８，９，１０，１１，１２，１３または１４記載の前記ゲームサイト運営装置としてコンピュータを機能させることを特徴とするゲームサイト運営プログラム。
【手続補正３】
【補正対象書類名】明細書
【補正対象項目名】０００１
【補正方法】変更
【補正の内容】
【０００１】
【発明の属する技術分野】
本発明は、賞品を獲得可能なゲームを、通信ネットワークを通じてユーザーに提供するゲームサイト運営装置および該装置としてコンピュータを機能させるためのプログラム、に関する。
【手続補正４】
【補正対象書類名】明細書
【補正対象項目名】０００６
【補正方法】変更
【補正の内容】
【０００６】
そこで、本願発明は、ユーザーが広告を見ることを条件にゲームを実行可能にすると共に、ゲームの結果次第では広告に関連する賞品をユーザーに提供することで、ギャンブル特性と実質的な利益を広告に関連付けて、ユーザーの参加意欲を高めて広告を効果的にユーザーに見せることができ、しかもポイントサービスやポイント贈与も併せて実行可能なゲームサイト運営装置および該装置としてコンピュータを機能させるプログラムを提供することを目的とする。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
［９］前記ゲーム提供手段は、前記端末（２０）において前記ゲームを実行可能にする度に、該端末（２０）で継続して実行可能なゲームの回数に上限値を設定することを特徴とする［１］，［２］，［３］，［４］，［５］，［６］，［７］または［８］記載のゲームサイト運営装置。
【手続補正７】
【補正対象書類名】明細書
【補正対象項目名】００１７
【補正方法】変更
【補正の内容】
【００１７】
［１０］前記端末（２０）で実行されたゲームの結果が当選の場合に、該当選を証明する当選識別子を当選した前記ユーザーに対して通知する当選証明手段を有することを特徴とする［１］，［２］，［３］，［４］，［５］，［６］，［７］，［８］または［９］記載のゲームサイト運営装置。
【手続補正８】
【補正対象書類名】明細書
【補正対象項目名】００１８
【補正方法】変更
【補正の内容】
【００１８】
［１１］前記ゲームで当選した際に、当選者を識別するための当選者識別情報を含む当選報告を前記サーバー（１０）に送信可能とする当選報告手段を有することを特徴とする［１］，［２］，［３］，［４］，［５］，［６］，［７］，［８］，［９］または［１０］記載のゲームサイト運営装置。
【手続補正９】
【補正対象書類名】明細書
【補正対象項目名】００１９
【補正方法】変更
【補正の内容】
【００１９】
［１２］前記ユーザーから送信された前記当選報告を受信する当選報告受信手段と、
前記当選報告受信手段が受信した当選報告の送信元ユーザーへ、該当選を証明する当選識別子を含む当選確認通知を送信する当選確認証明手段とを有することを特徴とする［１１］記載のゲームサイト運営装置。
【手続補正１０】
【補正対象書類名】明細書
【補正対象項目名】００２０
【補正方法】変更
【補正の内容】
【００２０】
［１３］前記当選識別子および当選者を識別するための当選者識別情報を前記サーバー（１０）側に記憶することを特徴とする［１０］または［１２］記載のゲームサイト運営装置。
【手続補正１１】
【補正対象書類名】明細書
【補正対象項目名】００２１
【補正方法】変更
【補正の内容】
【００２１】
［１４］前記賞品を提供可能な店舗のコンピュータ（３０）は、前記サーバー（１０）に接続して、前記サーバー（１０）側に記憶された前記当選識別子および当選者識別情報を参照し、賞品の提供に係る賞品提供済み情報を前記サーバー（１０）に送信することを特徴とする［１３］記載のゲームサイト運営装置。
【手続補正１２】
【補正対象書類名】明細書
【補正対象項目名】００２２
【補正方法】変更
【補正の内容】
【００２２】
［１５］［１］，［２］，［３］，［４］，［５］，［６］，［７］，［８］，［９］，［１０］，［１１］，［１２］，［１３］または［１４］記載の前記ゲームサイト運営装置としてコンピュータを機能させることを特徴とするゲームサイト運営プログラム。
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】０１１３
【補正方法】変更
【補正の内容】
【０１１３】
【発明の効果】
本発明に係るゲームサイト運営装置および該装置としてコンピュータを機能させるプログラムによればゲームサイトに接続したユーザーの端末に広告を表示し、広告の表示を終了後にゲームを実行可能にし、このゲームで当選となった場合に賞品を提供すると共に、ユーザーのゲームの実行内容に応じてポイントを付与し、さらにユーザー間でポイントの贈与を可能とすることにより、多数のユーザーを効果的に誘引することができると共に、広告をよりいっそうと効果的にユーザーに見せることになり、広告効率を向上させることができ、またポイントの利用価値をいっそうと高めることができる。